(57)【要約】【課題】ＥＣＧデータを簡単かつ短時間に作成することができるようにし、その労力を軽減する。【解決手段】ＥＣＧデータ生成装置１のＣＰＵ１１は、指定された番組素材の内容を記述したメタデータの中から一部の番組素材管理情報を素材サーバ２から取得する。ＣＰＵ１１は、ＥＣＧデータ生成部１４において、上記取得された番組素材管理情報をもとにＥＣＧデータを生成する。そして、ＥＣＧデータ登録部１６はＣＰＵ１１の制御の下で、ＥＣＧデータ生成部１４により生成された番組素材のＥＣＧデータを通信Ｉ／Ｆ１５により素材サーバ２へ送信する。【選択図】      図１
2008193418.tif 000002
【特許請求の範囲】
【請求項１】
番組素材の内容を記述したメタデータの中から一部の番組素材管理情報を取得する取得手段と、
前記取得された番組素材管理情報をもとに電子コンテンツガイド（ＥＣＧ：Electronic Content Guide）データを生成する生成手段と、
指定された番組素材に対応する前記ＥＣＧデータを出力する出力手段と
を具備することを特徴とするＥＣＧデータ生成装置。
【請求項２】
前記生成手段により生成されたＥＣＧデータを表示する表示手段と、
前記表示されたＥＣＧデータについて修正情報を受け付ける受付手段と
をさらに具備し、
前記出力手段は、前記生成手段により生成されたＥＣＧデータに前記受け付けられた修正情報を反映して出力することを特徴とする請求項１記載のＥＣＧデータ生成装置。
【請求項３】
番組素材の内容を記述したメタデータの中から一部の番組素材管理情報を取得し、
前記取得された素材管理情報をもとに電子コンテンツガイド（ＥＣＧ：Electronic Content Guide）データを生成し、
指定された番組素材に対応する前記ＥＣＧデータを出力することを特徴とするＥＣＧデータ生成方法。
【請求項４】
前記生成されたＥＣＧデータを表示し、
前記表示されたＥＣＧデータについて修正情報を受け付け、
前記生成されたＥＣＧデータに前記受け付けられた修正情報を反映して出力することをさらに特徴とする請求項３記載のＥＣＧデータ生成方法。
【請求項５】
番組の内容を記述したメタデータを含む番組素材が格納され、要求に応じて前記メタデータの中から一部の番組素材管理情報を提供する素材サーバと、
前記素材サーバにネットワークを介して接続され、前記素材サーバに指定された番組素材のメタデータ中の番組素材管理情報を要求し、前記素材サーバから提供される番組素材管理情報を受け取って、その情報にもとに電子コンテンツガイド（ＥＣＧ：Electronic Content Guide）データを生成して前記素材サーバに送出するＥＣＧデータ生成装置とを具備し、
前記素材サーバは、前記ＥＣＧデータ生成装置から送出されるＥＣＧデータを受け取って前記指定の番組素材の識別情報に対応づけて格納することを特徴とする番組素材管理システム。
【請求項６】
前記ＥＣＧデータ生成装置は、
前記生成されたＥＣＧデータを表示し、
前記表示されたＥＣＧデータについて修正情報を受け付け、
前記生成されたＥＣＧデータに前記受け付けられた修正情報を反映して出力することをさらに特徴とする請求項５記載の番組素材管理システム。
【発明の詳細な説明】
【技術分野】
【０００１】
この発明は、サーバ型放送に用いられる番組素材管理システムに係り、特にサーバからネットワークによって放送されるコンテンツの内容を示す電子コンテンツガイド（ＥＣＧ：Electronic Content Guide）データを生成し管理する技術に関する。
【背景技術】
【０００２】
サーバ型放送とは、放送された番組のコンテンツ等を家庭内に設置されたホーム・サーバに蓄積しておき、ユーザがホーム・サーバから任意の番組を好きなときに呼び出して視聴可能とするサービスである。また、このサービスでは、番組素材と共にその番組素材の補助情報であるＥＣＧデータを提供してホーム・サーバに蓄積しておく。ユーザは、このＥＣＧデータをもとに表示されるメニュー画面等から、ホーム・サーバに蓄積された番組素材の所望のシーン等を検索して再生することができる。
【０００３】
しかしながら、放送波で放送した番組素材をサーバ型放送でサービスする際には、当該番組素材のＥＣＧデータを新たに作成する必要があり、時間と手間がかかるという問題があった。  
なお、関連技術としてアンテナで受信した放送波からＥＰＧ（ＥＰＧ：Electronic Program Guide）データを分離し、この分離されたＥＰＧデータをＥＣＧデータとして用いる手法が提案されている（特許文献１を参照。）。しかしながら、ＥＰＧデータは、あくまでも放送予定の内容を紹介する番組編成情報であり、番組中の各シーンの詳細情報については別途メタデータから抽出する必要があり、その作成作業が繁雑になる。
【特許文献１】特開２００５−３１１６２８公報
【発明の開示】
【発明が解決しようとする課題】
【０００４】
上述したように、放送波で放送した番組素材をサーバ型放送でサービスする際に、当該番組素材のＥＣＧデータを新たに作成する必要があり、時間と手間がかかるという問題があった。
【０００５】
この発明は上記事情に着目してなされたもので、その目的とするところは、ＥＣＧデータを簡単かつ短時間に作成することができ、その労力を軽減することのできるＥＣＧデータ生成装置、ＥＣＧデータ生成方法及び番組素材管理システムを提供することにある。
【課題を解決するための手段】
【０００６】
上記目的を達成するためにこの発明に係わるＥＣＧデータ生成装置は、番組素材の内容を記述したメタデータの中から一部の番組素材管理情報を取得する取得手段と、前記取得された番組素材管理情報をもとにＥＣＧデータを生成する生成手段と、指定された番組素材に対応する前記ＥＣＧデータを出力する出力手段とを具備することを特徴とする。
【０００７】
また、この発明に係るＥＣＧデータ生成方法は、番組素材の内容を記述したメタデータの中から一部の番組素材管理情報を取得し、前記取得された素材管理情報をもとにＥＣＧデータを生成し、指定された番組素材に対応する前記ＥＣＧデータを出力することを特徴とする。
【０００８】
また、この発明に係る番組素材管理システムは、番組の内容を記述したメタデータを含む番組素材が格納され、要求に応じて前記メタデータの中から一部の番組素材管理情報を提供する素材サーバと、前記素材サーバにネットワークを介して接続され、前記素材サーバに指定された番組素材のメタデータ中の番組素材管理情報を要求し、前記素材サーバから提供される番組素材管理情報を受け取って、その情報にもとにＥＣＧデータを生成して前記素材サーバに送出するＥＣＧデータ生成装置とを具備し、前記素材サーバは、前記ＥＣＧデータ生成装置から送出されるＥＣＧデータを受け取って前記指定の番組素材の識別情報に対応づけて格納することを特徴とする。
【０００９】
上記構成によるＥＣＧデータ生成装置、ＥＣＧデータ生成方法及び番組素材管理システムでは、番組素材と共に蓄積されたメタデータの中の一部の番組素材管理情報を用いてＥＣＧデータを自動に生成するようにする。このようにすることで、放送波サービスで放送した番組素材をサーバ型放送でサービスする場合に、ＥＣＧデータを生成する時間と手間を軽減することが可能となる。
【発明の効果】
【００１０】
したがってこの発明によれば、ＥＣＧデータを簡単かつ短時間に作成することができ、その労力を軽減することのできるＥＣＧデータ生成装置、ＥＣＧデータ生成方法及び番組素材管理システムを提供することができる。
【発明を実施するための最良の形態】
【００１１】
以下、図面を参照しながら本発明の実施の形態を詳細に説明する。  
図１は、この発明に係る番組素材管理システムの一実施形態を示す機能ブロック図である。この番組素材管理システムは、ＥＣＧデータ生成装置１と素材サーバ２とを備え、両者をネットワークを介して接続した構成になっている。
【００１２】
ＥＣＧデータ生成装置１は、ＣＰＵ（Central Processing Unit）１１と、操作入力部１２と、表示部１３と、ＥＣＧデータ生成部１４と、通信インタフェース（通信Ｉ／Ｆ）１５と、ＥＣＧデータ登録部１６とを備える。
【００１３】
操作入力部１２は、ＣＰＵ１１の制御の下でオペレータにより入力された操作情報を取り込む機能を有する。例えば、操作入力部１２は、キーボードやマウス等の入力装置からなる。表示部１３は、ＬＣＤ等の表示装置で構成される。ＥＣＧデータ生成部１４は、ＣＰＵ１１の制御の下、指定された番組素材の内容を示すＥＣＧデータを生成する。通信Ｉ／Ｆ１５は、例えば、ネットワークインタフェースカードからなり、ネットワークを介して素材サーバ２との間でデータの送受信を行う。ＥＣＧデータ登録部１６は、上記ＥＣＧデータ生成部１４で生成されたＥＣＧデータを素材サーバ２に登録する機能を有する。
【００１４】
一方、素材サーバ２は、ＣＰＵ２１と、通信Ｉ／Ｆ２２と、アーカイブ記憶部２３と、素材管理部２４と、ＥＣＧデータ記憶部２５とを備える。  
通信Ｉ／Ｆ２２は、ＥＣＧデータ生成装置１との間でネットワークを介してデータの送受信する機能を有する。アーカイブ記憶部２３には、番組素材とこの番組素材の内容を記述したメタデータとが素材識別情報（以下、素材ＩＤとする）に対応付けて記憶される。メタデータには、例えば、番組名、音声モード、製作者、制作日時等の他に、出演者や各シーンに関する情報等が含まれる。
【００１５】
素材管理部２４は、アーカイブ記憶部２３に記憶された番組素材及びメタデータを管理し、ＥＣＧデータ生成装置１から送られてくる番組素材管理情報取得要求に応じてアーカイブ記憶部２３に蓄積されるメタデータから必要な番組素材管理情報を読み出して送信する。ＥＣＧデータ記憶部２５には、ＥＣＧデータ生成装置１により生成されたＥＣＧデータが素材ＩＤに対応付けて記憶される。
【００１６】
次に、このように構成された番組素材管理システムの動作について説明する。図２は、番組素材管理システムの動作の手順とその内容を示すシーケンス図である。  
図２において、ＥＣＧデータ生成装置１のＣＰＵ１１は、操作入力部１２により素材ＩＤを指定したＥＣＧデータの作成要求を受け付ける（ステップＳ２１）。ＣＰＵ１１は、受け付けた素材ＩＤをもとに当該素材ＩＤに対応する番組素材管理情報を取得する要求を通信Ｉ／Ｆ１５により素材サーバ２に送信する（ステップＳ２２）。
【００１７】
素材サーバ２のＣＰＵ２１は、上記番組素材管理情報の取得要求を受信すると、素材管理部２４によりアーカイブ記憶部２３から指定された素材ＩＤに対応するメタデータを検索する（ステップＳ２３）。素材管理部２４は、検索されたメタデータの中から一部の番組素材管理情報を抽出する（ステップＳ２４）。そして、素材サーバ２は、抽出された番組素材管理情報を通信Ｉ／Ｆ２２によりＥＣＧデータ生成装置１へ送信する。
【００１８】
ＥＣＧデータ生成装置１のＣＰＵ１１は、通信Ｉ／Ｆ１５により上記素材サーバ２から送信された番組素材管理情報を受信する。ＣＰＵ１１はＥＣＧデータ生成部１４により、上記受信された番組素材管理情報をもとにＥＣＧデータを生成する（ステップＳ２５）。生成されたＥＣＧデータは、ＣＰＵ１１の制御により表示部１３に表示される（ステップＳ２６）。ＣＰＵ１１は、表示されたＥＣＧデータに対してオペレータから入力される追加や修正等の情報を操作入力部１２により受け付ける（ステップＳ２７）。ＣＰＵ１１はＥＣＧデータ登録部１６により、上記操作入力部１２により受け付けた修正等の情報を上記生成されたＥＣＧデータに反映させて、素材サーバ２に送出する（ステップＳ２８）。素材サーバ２は、通信Ｉ／Ｆ２２により受信したＥＣＧデータを素材ＩＤに対応付けてＥＣＧデータ記憶部２５に記憶する。
【００１９】
なお、ＥＣＧデータ記憶部２５に記憶されたＥＣＧデータは、サーバ型放送サービスの際に、素材管理部２４によりアーカイブ記憶部２３に記憶された番組素材と共に出力される。そして、この番組素材とＥＣＧデータとがビデオサーバ等によって送出され、ホーム・サーバに蓄積される。
【００２０】
以上述べたように上記実施形態では、ＥＣＧデータ生成装置１は、番組素材に対応するメタデータをもとに番組素材のＥＣＧデータを生成する。メタデータには、例えば、番組名、音声モード、製作者、制作日時等の他に、出演者や各シーンに関する情報等が含まれており、これらの情報を番組素材管理情報としてメタデータから取得してＥＣＧデータの生成に用いる。
【００２１】
したがって、上記実施形態によれば、ＥＣＧデータの作成にかかる労力を軽減することが可能となり、ＥＣＧデータ作成の効率化を図ることができる。さらに、上記実施形態では、自動に生成されたＥＣＧデータに対して情報を修正等することも可能であるため、番組素材毎に柔軟な対応することが可能となる。
【００２２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２３】
【図１】この発明に係る番組素材管理システムの一実施形態を示す機能ブロック図。
【図２】図１に示す番組素材管理システムの動作の手順とその内容を示すシーケンス図。
【符号の説明】
【００２４】
１…ＥＣＧデータ生成装置、２…素材サーバ、１１…ＣＰＵ、１２…操作入力部、１３…表示部、１４…ＥＣＧデータ生成部、１５…通信インタフェース、１６…ＥＣＧデータ登録部、２１…ＣＰＵ、２２…通信インタフェース、２３…アーカイブ記憶部、２４…素材管理部、２５…ＥＣＧデータ記憶部。
【図１】
2008193418.tif 000003
【図２】
2008193418.tif 000004